(57)【要約】      （修正有）【課題】透明部材の振動を抑制可能とする遠隔操作装置を提供する。【解決手段】空気調和機を遠隔操作するリモコンＡは、利用者による入力操作に基づいて操作信号を発する操作手段１と、操作手段１による機器の設定状態を表示する表示手段２と、操作手段１からの操作信号に基づいて、空気調和機や表示手段２へ制御信号を発する制御手段と、操作手段１、表示手段２及び制御手段が実装される回路基板と、回路基板を収納し、操作手段１と表示手段２とが外側から臨むように開口部３１を有するケース３と、ケース３の表面の少なくとも一部を覆う板状の透明パネル４と、透明パネル４をケース３に対して着脱可能に固定する固定手段５と、を備える。ケース３の表面及び透明パネル４の裏面には、一方に凸部３３が設けられ他方に凸部３３に対応する凹部４５が設けられる。【選択図】図２
2020120286.tif 000002
【特許請求の範囲】
【請求項１】
機器（Ｂ）を遠隔操作する遠隔操作装置であって、
利用者による入力操作に基づいて操作信号を発する操作手段（１）と、
前記操作手段（１）による前記機器（Ｂ）の設定状態を表示する表示手段（２）と、
前記操作手段（１）からの前記操作信号に基づいて、前記機器（Ｂ）や前記表示手段（２）へ制御信号を発する制御手段（７）と、
前記操作手段（１）、前記表示手段（２）及び前記制御手段（７）が実装される回路基板（８）と、
前記回路基板（８）を収納し、前記操作手段（１）と前記表示手段（２）とが外側から臨むように開口部（３１）を有するケース（３）と、
前記ケース（３）の表面（３２）の少なくとも一部を覆う板状の透明部材（４）と、
前記透明部材（４）を前記ケース（３）に対して着脱可能に固定する固定手段（５）と、
を備え、
前記ケース（３）の表面（３２）及び前記透明部材（４）の裏面（４４）には、一方に凸部（３３）が設けられ他方に前記凸部（３３）に対応する凹部（４５）が設けられる、
遠隔操作装置。
【請求項２】
前記凸部（３３）は、前記ケース（３）の表面（３２）の周縁部及び前記透明部材（４）の裏面（４４）の周縁部の一方に設けられ、前記凹部（４５）は、前記ケース（３）の表面（３２）の周縁部及び前記透明部材（４）の裏面（４４）の周縁部の他方に設けられる、
請求項１に記載の遠隔操作装置。
【発明の詳細な説明】
【技術分野】
【０００１】
本発明は、無線または有線にて通信することで機器を操作するための遠隔操作装置に関する。
【背景技術】
【０００２】
従来の遠隔操作装置は、例えば、操作用スイッチなどを実装する回路基板や、液晶表示パネルなどの表示器等をケース内に収納して構成されるものが一般的であり、例えば、特許文献１に開示されるように、壁面に取り付けられるものがある。
【０００３】
また、特許文献２には、ケースにおける操作面を覆い、この操作面と対向する平滑面を有する板状の透明部材と、この透明部材を前記ケースに対して着脱可能に固定する固定手段と、を備え、前記固定手段は、前記透明部材と前記ケースとの間に、シート状の意匠部材を介在させた状態で前記透明部材を前記ケースに固定する、遠隔操作装置が開示されている。
【先行技術文献】
【特許文献】
【０００４】
【特許文献１】特開２０１３−９６６６８号公報
【特許文献２】特開２０１８−３２９９２号公報
【発明の概要】
【発明が解決しようとする課題】
【０００５】
特許文献２に開示される遠隔操作装置によれば、意匠部材の交換によって遠隔操作装置の表面を所望の意匠へ容易に変更可能となる。しかしながら、透明部材が振動するとケースから脱落するおそれがあることから透明部材の振動を抑制することについて改善の余地があった。
【０００６】
そこで本発明の目的は、上述課題に着目し、透明部材の振動を抑制可能とする遠隔操作装置を提供することにある。
【課題を解決するための手段】
【０００７】
本開示の第１の観点に係る遠隔操作装置は、
機器を遠隔操作する遠隔操作装置であって、
利用者による入力操作に基づいて操作信号を発する操作手段と、
前記操作手段による前記機器の設定状態を表示する表示手段と、
前記操作手段からの前記操作信号に基づいて、前記機器や前記表示手段へ制御信号を発する制御手段と、
前記操作手段、前記表示手段及び前記制御手段が実装される回路基板と、
前記回路基板を収納し、前記操作手段と前記表示手段とが外側から臨むように開口部を有するケースと、
前記ケースの表面の少なくとも一部を覆う板状の透明部材と、
前記透明部材を前記ケースに対して着脱可能に固定する固定手段と、
を備え、
前記ケースの表面及び前記透明部材の裏面には、一方に凸部が設けられ他方に前記凸部に対応する凹部が設けられる。
【０００８】
本開示の第２の観点に係る遠隔操作装置は、本開示の第１の観点に係る遠隔操作装置において、前記凸部は、前記ケースの表面の周縁部及び前記透明部材の裏面の周縁部の一方に設けられ、前記凹部は、前記ケースの表面の周縁部及び前記透明部材の裏面の周縁部の他方に設けられる。
【発明の効果】
【０００９】
本開示に係る遠隔操作装置は、透明部材の振動を抑制可能となる。
【図面の簡単な説明】
【００１０】
【図１】本開示の実施形態におけるリモートコントローラを示す正面図である。
【図２】図１に示すリモートコントローラの分解斜視図である。
【図３】図１に示すリモートコントローラの機能を示すブロック図である。
【図４Ａ】図１のＸ−Ｘ線断面図である。
【図４Ｂ】図４Ａの分解図である。
【図５Ａ】図１のＹ−Ｙ線断面図である。
【図５Ｂ】図５Ａの分解図である。
【図６】図４ＡのＤ１部拡大図である。
【図７】図５ＡのＤ２部拡大図である。
【発明を実施するための形態】
【００１１】
以下、本開示の遠隔操作装置の実施形態として、空気調和機用のリモートコントローラ（以下、リモコンと記す）に適用したものを例に挙げて、図面を用いて説明する。
【００１２】
図１は、リモコンＡの正面図であり、図２はリモコンＡの分解斜視図である。図３は、リモコンＡの機能を示すブロック図である。図４Ａは図１のＸ−Ｘ線断面図である。図４Ｂは図４Ａの分解図である。図５Ａは図１のＹ−Ｙ線断面図である。図５Ｂは図５Ａの分解図である。図６は、図４ＡのＤ１部拡大図である。図７は、図５ＡのＤ２部拡大図である。
図１及び図２に示すように、リモコンＡは、操作手段１と、表示手段２と、ケース３と、透明パネル（透明部材）４と、固定手段５と、意匠部材６とを備える。また、図３に示すように、リモコンＡは、操作手段１、表示手段２、及び遠隔操作対象となる空気調和機（機器）Ｂと通信可能に接続される制御手段７を備え、これらをケース３内の回路基板８に実装している（図４Ａ、図５Ａ参照）。なお、図４Ａ、図４Ｂ、図５Ａ、図５Ｂにおいては、操作手段１、表示手段２、固定手段５（第１の磁石５１）、制御手段７及び回路基板８のケース３内のおおよその位置を破線で示している。
【００１３】
操作手段１は、利用者が触れることができるようにキートップを露出する押しボタンスイッチを適用でき、この場合、複数設けられる。キートップには、機能を示す文字やシンボルマークなどの意匠を印刷することもできる。また、操作手段１は、ケース３内の回路基板８に実装されたタクトスイッチ素子を備え、利用者の押圧操作に基づくキートップの位置変化に連動してタクトスイッチ素子が作動し、操作信号として制御手段７へ出力できる。
【００１４】
表示手段２は、液晶表示素子を用いた表示パネルを適用でき、制御手段７からの制御信号に基づいて所望の表示出力を行うことができる。表示手段２の表示内容は、例えば、空気調和機Ｂの設定状態や操作ガイド、室内/室外温度や、時刻などを表示できる。また、表示手段２を透明なタッチパネルで覆うことで、操作手段（入力インタフェース）の一部または全部として兼用することもできる。
【００１５】
ケース３は、合成樹脂材からなり操作手段１の電子部品や表示手段２、制御手段７を実装する回路基板を収納する筐体である。また、ケース３は、この場合、板状であり、壁面に取り付ける取り付け面（裏面）と反対側に、操作手段１や表示手段２を露出する開口部３１を有する操作面（表面）３２が設けられる。ケース３は、透明パネル４や意匠部材６を操作面３２側に保持するための固定手段５である第１の磁石５１（図４Ａ、図４Ｂ、図５Ａ及び図５Ｂに示す）を複数保持している。また、ケース３は、その操作面３２の周縁部に凸部３３を有する。凸部３３の詳細は後で述べる。ケース３は、本実施形態において黒色の合成樹脂を適用しているが、白色や赤色としたり、透明や半透明の部材を用いたり、表面を鏡面や金属調に加工したりすることもできる。
【００１６】
透明パネル４は、アクリル等を用いた透明な合成樹脂を適用でき、ケース３の操作面３２に固定手段５を用いて保持される。また、透明パネル４は、操作面３２と略同じ外郭形状をしており、操作手段１を露出するための開口孔４１が設けられる。この場合、透明パネル４は、固定手段５である第２の磁石５２を収容するための凹状の収容部４２も設けられている。また、透明パネル４は、ケース３の操作面３２と対向する裏面４４（図４Ｂ及び図５Ｂに示す）の周縁部に凹部４５を有する。凹部４５の詳細は後で述べる。なお、透明パネル４は、有色の顔料を含む透光性部材であったり、一部に模様または操作機能名、ロゴ、機種名など印刷が施されたものであったりしてもよい。
【００１７】
固定手段５は、ケース３側に保持される第１の磁石５１と、第１の磁石５１に対応して透明パネル４側に保持され、第１の磁石５１と引き合う第２の磁石５２とからなる。すなわち、固定手段５は、第１の磁石５１と第２の磁石５２との間の磁力により透明パネル４及び意匠部材６をケース３に固定する。なお、第１の磁石５１及び第２の磁石５２の一方を金属部材に置き換えてもよい。
【００１８】
意匠部材６は、紙や合成樹脂などシート状の部材を適用でき、透明パネル４に対向する面（表面）に、模様や色及びこれらの組み合わせである意匠を有している。意匠部材６は、透明パネル４とケース３の操作面３２との間に、挟まれて平らな状態で保持される。なお、意匠部材６は、透明パネル４と同様に、操作手段１を露出するための開口孔６１と表示手段２に対応する開口孔６２とが形成されている。また、意匠部材６は、その外郭形状が、ケース３の操作面３２の凸部３３を除いた形状、及び、透明パネル４の裏面４４の凹部４５を除いた形状と略同様に形成される。
【００１９】
制御手段７は、操作手段１や空気調和機Ｂからの信号に基づいて、表示手段２を駆動したり、空気調和機Ｂへの設定を促す通信信号を出力したりすることができ、例えば、演算回路や記憶回路、計時回路等を有する少なくとも１つのマイクロコンピュータを適用できる。この場合、制御手段７は、空気調和機Ｂと通信するための送受信回路を含み、有線または無線にて利用者の操作に基づく空気調和機Ｂの遠隔操作を行うことができる。
【００２０】
回路基板８は、例えば硬質の絶縁基材に配線が施された硬質プリント基板が適用でき、表面側に操作手段１、表示手段２を実装し、裏面側に制御手段７を実装してなる。なお、回路基板８は、表面側に制御手段７を実装してもよい。
【００２１】
次に、リモコンＡにおける透明パネル４の振動抑制構造について、図４Ａ、図４Ｂ、図５Ａ、図５Ｂ、図６及び図７を参照して説明する。
【００２２】
前述のように、リモコンＡは、ケース３の操作面３２側の周縁部に凸部３３が設けられ、透明パネル４の裏面４４の周縁部に凸部３３に対応する凹部４５が設けられている。より詳細には、ケース３の操作面３２側の周縁部には、外形が矩形状のケース３の上下左右の４つの辺に沿うように凸部３３が設けられる。透明パネル４の裏面４４の周縁部には、外形が矩形状の透明パネル４の上下左右の４つの辺に沿うように凹部４５が設けられる。このようにすれば、リモコンＡは、透明パネル４をケース３に固定した状態において、凸部３３と凹部４５とが前後方向に嵌め合わされ、凸部３３の側壁と凹部４５の側壁とが左右方向（図４Ａ及び図６参照）及び上下方向（図５Ａ及び図７参照）に向かい合う。したがって、リモコンＡは、透明パネル４の左右方向及び上下方向の振動を抑制することができる。
【００２３】
以上のように、リモコンＡが構成される。リモコンＡは、その外観意匠について意匠部材６の影響度合いを大きくすることができ、意匠部材６を利用者の好みに応じて変更することも可能となる。透明パネル４や固定手段５によって、意匠部材６の着脱が容易になるだけでなく、透明パネル４の裏面４４を平滑面にすることによってシート状の部材を平坦にして保持できる作用もある。
【００２４】
また、意匠部材６としてシート状であれば適用できるため、例えば、意匠部材６として、リモコンＡが取り付けられる壁面に施される壁紙を加工して用いることもでき、壁面との一体感が一層高まるため、デザイン性を向上ができる。また、壁紙などの建材だけでなく、和紙や写真、ポスターなど多様な種類のシート材を選択して適用可能にする作用もある。
【００２５】
また、取り外し可能な透明パネル４と意匠部材６とが略同じ形状であるために、外郭や開口孔４１等の形状に合わせて、トレース処理、または切り取り加工できるため、意匠部材６としての適用が容易となる。
【００２６】
斯かるリモコンＡは、空気調和機（機器）Ｂを遠隔操作するリモコン（遠隔操作装置）Ａであって、利用者による入力操作に基づいて操作信号を発する操作手段１と、操作手段１による空気調和機Ｂの設定状態を表示する表示手段２と、操作手段１からの前記操作信号に基づいて、空気調和機Ｂや表示手段２へ制御信号を発する制御手段７と、操作手段１、表示手段２及び制御手段７が実装される回路基板８と、回路基板８を収納し、操作手段１と表示手段２とが外側から臨むように開口部３１を有するケース３と、ケース３の操作面３２の少なくとも一部を覆う板状の透明パネル４と、透明パネル４をケース３に対して着脱可能に固定する固定手段５と、を備え、ケース３の操作面３２及び透明パネル４の裏面４４には、一方に凸部３３が設けられ他方に凸部３３に対応する凹部４５が設けられる。
【００２７】
したがって、リモコンＡは、上述したように透明パネル４の振動を抑制可能となる。また、凸部３３及び凹部４５を透明パネル４の位置決めとして利用することもできる。
【００２８】
また、凸部３３は、ケース３の操作面３２の周縁部及び透明パネル４の裏面４４の周縁部の一方に設けられ、凹部４５は、ケース３の操作面３２の周縁部及び透明パネル４の裏面４４の周縁部の他方に設けられることで、意匠部材６の取り付け時に意匠部材６を凸部３３で仮保持することができ、意匠部材６の落下を抑制できる。このとき、意匠部材６は、ケース３の操作面３２及び透明パネル４の裏面４４の凸部３３及び凹部４５を除いた外郭形状に略一致するように設けられる。
【００２９】
なお、本開示の遠隔操作装置を上述した実施の形態の構成にて例に挙げて説明したが、本開示の遠隔操作装置はこれに限定されるものではなく、他の構成においても、本発明の要旨を逸脱しない範囲において種々の改良、並びに表示の変更が可能なことは勿論である。例えば、固定手段として、磁力による結合を置き換えて、ビスによる螺合やフックによる係合、または、これらの組み合わせによって、透明パネル４及び意匠部材６が固定保持されるものであっても良い。
【００３０】
また、遠隔操作の対象機器として、空気調和機だけでなく、例えば、給湯機や電灯などを操作するものであってもよく、特に壁面に取り付けられる遠隔操作装置として好適である。
【００３１】
また、前述の実施形態では、ケース３側に凸部３３が設けられ、透明パネル４側に凹部４５が設けられたが、本開示の他の実施形態では、ケース３側に凹部が設けられ、透明パネル４側に凸部が設けられてもよい。また、本開示の他の実施形態では、凸部３３及び凹部４５が設けられる箇所は、ケース３の操作面３２の周縁部及び透明パネル４の裏面４４の周縁部以外の箇所であってもよい。
【産業上の利用可能性】
【００３２】
本発明は、遠隔操作装置に関して、例えば、空気調和機や給湯機、電灯、あるいはシャッターや窓、カーテンなどの開閉装置などの機器を対象にした遠隔操作手段として好適である。
【符号の説明】
【００３３】
Ａ    リモコン（遠隔操作装置）
Ｂ    空気調和機（機器）
１    操作手段
２    表示手段
３    ケース
３１  開口部
３２  操作面（表面）
３３  凸部
４    透明パネル（透明部材）
４１  開口孔
４２  収容部
４４  裏面
４５  凹部
５    固定手段
５１  第１の磁石
５２  第２の磁石
６    意匠部材
６１  開口孔
６２  開口孔
７    制御手段
８    回路基板
【図１】
2020120286.tif 000003
【図２】
2020120286.tif 000004
【図３】
2020120286.tif 000005
【図４Ａ】
2020120286.tif 000006
【図４Ｂ】
2020120286.tif 000007
【図５Ａ】
2020120286.tif 000008
【図５Ｂ】
2020120286.tif 000009
【図６】
2020120286.tif 000010
【図７】
2020120286.tif 000011